(57)【特許請求の範囲】
【請求項１】
蛍光標識されている複数の検体を検出するための、多重チャンネル蛍光検出システムであって、
励起光をそれぞれが供給するための複数のサブ光源を備えている光源；
上記励起光を受け取るために使用される励起光フィルタ、および発光光フィルタをそれぞれが備えている少なくとも１つの光フィルタセットを備えている光フィルタ装置；
蛍光標識されている複数の検体に照射されている上記励起光によって、上記励起光に応じて発せられる発光光を受け取るために使用される発光光導光管、および上記励起光フィルタを通過する上記励起光を受け取るために使用される励起光導光管を備えている、二並列導光管；
上記発光光導光管および上記発光光フィルタを通過する上記発光光を受け取るために使用される、上記発光光の種類を確認するための検出器；ならびに
上記光源、上記光フィルタ装置、上記二並列導光管および上記検出器の間における相対的な動きを制御するために使用されるコントローラ；
を備えており、
上記コントローラは、蛍光標識されている複数の検体のそれぞれを走査するように、上記二並列導光管を制御する、
多重チャンネル蛍光検出システム。
【請求項２】
上記発光光導光管および上記励起光導光管が同軸に配置されている、請求項１に記載の多重チャンネル蛍光検出システム。
【請求項３】
上記二並列導光管が、上記蛍光標識されている複数の検体に上記励起光を照射させるためおよび上記発光光を受け取るための走査ヘッドをさらに備えている、請求項１に記載の多重チャンネル蛍光検出システム。
【請求項４】
上記光フィルタ装置が、上記励起光および上記発光光とともに協働するために使用される、上記少なくとも１つの光フィルタセットを回転させるための制御装置を、さらに備えている、請求項１に記載の多重チャンネル蛍光検出システム。
【請求項５】
上記複数のサブ光源が、選択的に作動または停止され得る複数の単色の発光ダイオード（ＬＥＤ）である、請求項１に記載の多重チャンネル蛍光検出システム。
【請求項６】
上記光源が、重複しないように形成されている半値全幅（ＦＷＨＭ）波長を有している複数の光を発する、請求項５に記載の多重チャンネル蛍光検出システム。
【請求項７】
蛍光標識されている複数の検体を検出するための多重チャンネル蛍光検出方法であって、
光源の複数のサブ光源によって励起光をそれぞれ供給すること；
上記励起光が、光フィルタ装置の少なくとも１つの光フィルタセットのうち励起光フィルタを通過した後、二並列導光管のうち励起光導光管に入ること；
上記二並列導光管の走査ヘッドからの上記励起光によって上記蛍光標識されている複数の検体が照射されることによって、発光光を発すること；
上記走査ヘッドからの上記発光光が、上記二並列導光管のうち発光光導光管に入ること；
上記発光光導光管からの上記発光光が、上記光フィルタ装置の上記少なくとも１つの光フィルタセットのうち発光光フィルタに入ること；および
上記発光光が、上記発光光の種類を確認するための検出器に入ること
を含んでおり、
上記蛍光標識されている複数の検体の種類にしたがって、上記光源、上記光フィルタ装置、上記二並列導光管および上記検出器の間における相対的な動きを制御するコントローラをさらに備えており、
上記コントローラは、蛍光標識されている複数の検体のそれぞれを走査するように、上記二並列導光管を制御する、
多重チャンネル蛍光検出方法。
【請求項８】
上記二並列導光管は、上記蛍光標識されている複数の検体に上記励起光を照射させるため、および上記発光光を受け取るための走査ヘッドをさらに備えている、請求項７に記載の多重チャンネル蛍光検出方法。
【請求項９】
上記複数のサブ光源は、選択的に作動または停止され得る複数の単色発光ダイオード（ＬＥＤ）である、請求項７に記載の多重チャンネル蛍光検出方法。
【請求項１０】
上記光源は、重複しないように形成されている半値全幅（ＦＷＨＭ）波長を有している複数の光を発する、請求項９に記載の多重チャンネル蛍光検出方法。
【発明の詳細な説明】
【技術分野】
【０００１】
本発明は、一部の波長帯に反応を示す試料を検出するための、特に生物化学の分野に関連する多重チャンネルシステムおよびそれを使用する方法に関する。
【背景技術】
【０００２】
生物化学の分野において、サンプルの検出のために蛍光検出手法を採用することが一般に知られている。上記蛍光検出手法は、試験されるサンプルとの接触を要しないため、試験されるサンプルを非破壊的な定量的または定性的な測定は、接触感染性の高い環境にさらすことなく、操作者によってなされ得る。これは、上記手法のより広い利用につながる。
【０００３】
蛍光検出は、特定波長の光スペクトルに固有の光ルミネセンスを有している特定の蛍光色素に結合されている、分析物のある成分を利用することである。したがって、一定強度の入射光のもとにサンプルの分析を照射することによって、当該サンプルの発光スペクトルは、上記サンプルの種類または濃度を分析するときに測定され得る。一般的な蛍光色素は、青色光帯におけるＦＡＭ、緑色光帯におけるＨＥＸ、黄色光帯におけるＴＡＭＲＡ、橙色光帯におけるＲＯＸ、赤色光帯におけるＣＹ５および深紅色光帯におけるＲｅｄ６７０を含んでいる。
【０００４】
ポリメラーゼ連鎖反応（ＰＣＲ）は、適切な作用因子および熱サイクル機器を用いて特定のＤＮＡ断片を伸張させるために使用され得る分子生物学手法である。また、各熱サイクルの後に反応物が蛍光検出システムによって検出される場合、当該反応物のうち特定の生成物の総量にとっての定性的または定量的な分析のための方法は、リアルタイムポリメラーゼ連鎖反応（リアルタイムＰＣＲ）である。
【０００５】
生物化学の分野において、多重チャンネル蛍光検出は、リアルタイム／定量的ポリメラーゼ連鎖反応（リアルタイムＰＣＲまたはＱＰＣＲ）法を、主として採用している。さらに、試験されるサンプルおよび試薬の違いのために、機器の光源は、一般的に、紫外、可視または赤外の、１つ以上の波長帯を備えている。
【０００６】
図１を参照すると、従来技術の蛍光検出システム１０の概略図が示されている。蛍光検出システム１０は、光源１１、励起光導光管１２、蛍光標識されている検体１３、発光光導光管１４、発光光フィルタ１５および検出器１６を備えている。動作フローは以下の通り。光源１１が励起光１７を発し；次に励起光１７が励起光導光管１２に入り；励起光１７が蛍光標識されている検体１３を照射して、発光光１８を発し；次に発光光１８は発光光導光管１４に入り；次に発光光１８が発光光フィルタ１５を通って検出器１６に入り；最後に検出器１６が発光光１８の種類を決定する。一般に、この分野において、励起光１７は、蛍光標識されている検体１３を照射するために使用される光であり、発光光１８は、蛍光標識されている検体１３から反射されている光である。一般に、励起光導光管１２および発光光導光管１４は、互いに独立した２つの経路である。これは、蛍光検出システム１０の構築における困難さを増大させる。
【０００７】
蛍光検出処理を高速および簡略にするために、光源１１は、種々の波長帯を供給可能であり、発光光フィルタ１５は、マルチバンドの発光フィルタである。
【０００８】
蛍光標識されている検体１３が、種々の波長帯についての光ルミネセンスを生成し得るので、一般に、従来の蛍光検出システムは、迅速な検出のために光源として白色光を採用している。励起光１７が、上記蛍光標識されている検体１３を照射すると、これに対応して発せられる複数の波長帯を有している発光光１８を発する；つまり、発光光１８は、これに対応して種々の波長帯を含んでいる。次に、発光光１８は、異なる波長帯を有している光を生じるために、発光光フィルタ１５によってフィルタリングされる。したがって、蛍光標識されている検体１３が、異なる波長帯を有している光に反応を示すとき、上記検出を行うことが可能であり、同時にそれによって、浪費される時間が削減される。
【０００９】
上記従来技術は、種々の波長帯を同時に検出し得るが、それにおいていくつかの既知の問題がある。
１．光が白色光であるとき、過剰な発光光がそれに基づいて発せられる；２．発光光１８が発光光フィルタ１５を通過するとき、フィルタリングされる必要のない波長帯の一部が、発光光フィルタ１５によって除去され得、それによって続く検出の精度に影響する；
３．発光光フィルタ１５は、その製造工程を高度にし、製造コストを高くするような、特殊な方法によって同じガラス片上にある多層フィルタの使用によって作製されている；４．白色光は種々の波長帯を有している光を同時に発するために使用され得るが、当該白色光は、不要な波長帯を有している他の光を発光光１８に生じさせ得る。誤審の結果。
【００１０】
図２を参照すると、別の従来技術の蛍光検出システムの概略図が示されている。蛍光検出システム２０の、蛍光検出システム１０との相違点は、励起光１７が蛍光標識されている検体１３に照射される前への、励起光フィルタ１９の追加である。より詳細には、励起光フィルタ１９は、上記別の従来技術において、光源１１および励起光導光管１２の間に配置されている。
【００１１】
蛍光検出システム２０は、励起光フィルタ１９を設けることによって、蛍光検出システム１０の効率を向上させている。しかし、発光光１８が発光光フィルタ１５を通過するとき、発光光１８は、フィルタリングされる必要のない波長帯においてフィルタリングされ得るので、したがって、他の技術的問題が依然として解決されないほどに後の検出の精度に影響する。
【００１２】
さらに、別の従来技術において、蛍光検出システム２０は、検出動作を迅速に行うために複数のセンサを採用しているが、複数のセンサは、やはり、システムコストを増大させ、組立てを困難にする。
【００１３】
要約すれば、上記従来技術は、検出効率を向上させるために、多波長帯を生じ得るが、単一波長帯の検出にとっての精度を低下させる光源（すなわち白色光）を、ほぼ採用している。
【００１４】
例えば、Thermo Fisher QuantStudio 12K Flexand Roche LightCycler 480および他の製品は、白色ＬＥＤ蛍光検出システムの、白色ＬＥＤ光の可視光帯に、光源として、使用されており、可視光波長帯、十分な輝度、安価さ、軽重量、小型、低消費電力および耐震性を網羅し得るこの種の白色ＬＥＤは、白色ＬＥＤの発光波長帯にとっての可視光源としての主流になっている。
【００１５】
白色発光ダイオードによる白色を発する生成機序は、青色光を発し得るＧａＮ  ＰＮダイオードチップに電圧を印加すること、および当該青色光によって励起され得る蛍光物質を青色光チップの前に配置することであり、それによって、励起された後に、当該蛍光物質は、白色光の生成を達成するために、それに応じた蛍光（例えば、緑色、黄色、赤色）を生じることである。上記白色発光ダイオードのスペクトル分布は、青色ＬＥＤチップの発光波長および種々の蛍光物質によって発せられる種々の蛍光光の間における重なりに、主に依存している。白色ＬＥＤの電源が起動されているとき、可視光の一定のスペクトル分布が与えられ得る；すなわち、スペクトルにおける各波長の光強度が固定されている限り、それらの波長および色の輝度は、制御され得ない。したがって、リアルタイムＰＣＲの用途において、ある色の励起光の強度を高めることを目的とする場合、白色ＬＥＤ発光波長帯の全体が同時に明るくなり、かつそれからより高い輝度の単色光を導き出すように光がフィルタを通過することを要するので、青色ＬＥＤチップにより高い電圧を印加し得るのみである。これは、そのような白色ＬＥＤ光源のエネルギー消費効率の全体を低下させ、不要かつ無駄な光および電力を安易に生じさせる。より大きな電流が上記ＬＥＤチップを流れるとき、より大きな熱がそれらに生じるので、電気エネルギーからの光への変換効率が低く、かつ光源の経年変化が促進される。さらに、深紅色帯において白色ＬＥＤと適切に協同する蛍光物質は、長きにわたっていない。これは、白色ＬＥＤを赤色帯に適合させることを混迷させている。
【００１６】
一部のリアルタイムＰＣＲ検出器の製造業者（例えば、TOptical Thermocycler in Germany, Bimetra）は、単一の白色ＬＥＤの欠点を補足するために、白色ＬＥＤを用いることに加えて、蛍光検出領域の光源において赤色ＬＥＤおよび青色ＬＥＤをそれぞれ光路に追加することによって、不十分な発光帯の問題を補足している。しかし、これは、光学設計を複雑にし、器械の不安定性を生じさせる。
【００１７】
別の従来技術において、蛍光検出システムは、一度のスキャン過程に対して４つの蛍光透視鏡のチャンネルをスキャンし得る４チャンネルリアルタイムＰＣＲ検出器を構成するための４つのセンサを採用しており、それによって検出時間を削減する。しかし、そのような設計の同期検出は、光学センサおよび光学経路の費用を増加させるだけでなく、総体的なセンシング領域を大きくし、複雑にする。
【００１８】
上述のように、複数のＬＥＤが、従来技術において白色光を構成するために、採用されている。しかし、従来の蛍光検出システムは、すべての蛍光ラベルを同時に検出するために、複数のＬＥＤのすべてを動作させることを要する；そうしないと、同期検出の目的は達成され得ない。
【００１９】
検出のほとんどが特定の対象物に実施されるので、特定波長帯の検出の精度を効率的に向上させる方法、特定波長帯の光束を効率的に増加させる（前提として束のうち全波長を強めることなく）方法、および蛍光検出システムの構造を単純化し、かつ製造コストを削減する方法が、解決を迫られている技術的問題である。
【００２０】
したがって、多重チャンネル蛍光検出システムおよびそれを用いる方法を提供することが、上述の技術的問題を解決するために必要である。
【先行技術文献】
【特許文献】
【００２１】
【特許文献１】米国特許出願公開第２０１３／０１０２４８１号
【特許文献２】中国実用新案出願公開第２０１１０７２７０号
【特許文献３】米国特許出願公開第２０１４／００４５２５０号
【特許文献４】中国特許出願公開１４９４６５５第
【特許文献５】米国特許出願公開第２０１２／０２９５２６８号
【特許文献６】中国特許出願公開１０４６５５３１８第
【発明の概要】
【００２２】
従来技術の上述した技術的問題を解決するために、本発明の目的は、蛍光標識されている複数の検体を検出するための、多重チャンネル蛍光検出システムを提供することである。
本発明は、特定の検体の検出の精度を向上させるため、特定波長帯の光束を効率的に増加させるため（前提として束のうち全波長を強めることなく）、および蛍光検出システムの構造を単純化し、かつ製造コストを削減するために、重複しないように形成されている半値全幅（ＦＷＨＭ）波長を有している複数の光を発し得る光源を用いることによって従来の技術的問題を解決する。
【００２３】
上記目的を達成するために、本発明は、光源、光フィルタ装置、二並列導光管および検出器を備えている、蛍光標識されている複数の検体を検出するための多重チャンネル蛍光検出システムを提供する。
【００２４】
上記光源は、励起光をそれぞれが供給するための複数のサブ光源を備えている。上記光フィルタ装置は、少なくとも１つのフィルタセットを備えている。少なくとも１つの光フィルタセットのそれぞれは、励起光フィルタおよび発光光フィルタを備えている。上記励起光フィルタは、上記励起光を受け取るために使用される。上記二並列導光管は、発光光導光管および励起光導光管を備えている。上記励起光導光管は、励起光フィルタを通過する上記励起光を受け取るために使用される。上記発光光導光管は、上記蛍光標識されている複数の検体に照射されている上記励起光によって、上記励起光に応じて発せられる上記発光光を受け取るために、使用される。上記検出器は、上記発光光の種類を確認することを目的として上記発光光導光管および上記発光光フィルタを通過する上記発光光を受け取るために、使用される。
【００２５】
好ましい一実施形態において、上記発光光導光管および上記励起光導光管は、同軸に配置されている。
【００２６】
好ましい一実施形態において、上記二並列導光管は、上記蛍光標識されている複数の検体に上記励起光を照射させるためおよび上記発光光を受け取るための走査ヘッドをさらに備えている。
【００２７】
好ましい一実施形態において、上記多重チャンネル蛍光検出システムは、上記光源、上記光フィルタ装置、上記二並列導光管および上記検出器の間における相対的な動きを制御するために使用されるコントローラをさらに備えている。
【００２８】
好ましい一実施形態において、上記光フィルタ装置は、上記励起光および上記発光光と提携するために使用される、少なくとも１つの光フィルタセットを回転させるための制御装置をさらに備えている。
【００２９】
好ましい一実施形態において、上記複数のサブ光源は、選択的に作動または停止され得る複数の単色発光ダイオード（ＬＥＤ）である。
【００３０】
好ましい一実施形態において、上記光源は、重複しないように形成されているＦＷＨＭ波長を有している複数の光を発するために使用される。
【００３１】
上記目的を達成するために、本発明は、複数の発光ラベル付き検体を検出するための多重チャンネル蛍光検出方法を提供する。
上記多重チャンネル蛍光検出方法は、以下の工程：まず、励起光が、光源の複数のサブ光源それぞれによって供給される；次に、上記励起光が、光フィルタ装置の少なくとも１つの光フィルタセットの励起光フィルタを通過した後、二並列導光管のうち励起光導光管に入る；次に、発光光が、上記二並列導光管の走査ヘッドからの上記励起光によって上記蛍光標識されている複数の検体に照射されることによって、発せられる；次に、上記走査ヘッドからの上記発光光が、上記二並列導光管のうち発光光導光管に入る；次に、上記発光光導光管からの上記発光光が、上記光フィルタ装置の上記少なくとも１つの光フィルタセットのうち発光光フィルタに入る；次に、上記発光光が、上記発光光の種類を確認するための検出器に入る、を含んでいる。
【００３２】
好ましい一実施形態において、上記方法は、上記蛍光標識されている複数の検体の種類にしたがって上記光源、上記光フィルタ装置、上記二並列導光管および上記検出器の間における相対的な動きを制御するためのコントローラを使用する工程をさらに備えている。
【００３３】
好ましい一実施形態において、上記二並列導光管は、上記励起光が上記蛍光標識されている複数の検体を照射するためおよび上記発光光を受け取るための走査ヘッドをさらに備えている。
【００３４】
好ましい一実施形態において、上記光フィルタ装置は、上記励起光および上記発光光と協働ために使用される、上記少なくとも１つの光フィルタセットを回転させるための制御装置をさらに備えている。
【００３５】
好ましい一実施形態において、上記複数のサブ光源は、選択的に作動または停止され得る複数の単色の発光ダイオード（ＬＥＤ）である。
【００３６】
好ましい一実施形態において、上記光源は、重複しないように形成されているＦＷＨＭ波長を有している複数の光を発する。
【００３７】
従来技術と比べて、本発明は、特定の検体の検出の精度を向上させるため、特定波長帯の光束を効率的に強めるため（前提として束のうち全波長を強めることなく）、上記蛍光検出システムの構造を単純化し、かつ製造コストを削減するために、重複しないように形成されているＦＷＨＭ波長を有している複数の光を発し得る光源を使用することによって従来の技術的問題を解決する。
【００３８】
本発明の技術的解決および有益な作用は、添付の図面および実施形態に言及している以下の詳細な説明からもっとも理解される。
【図面の簡単な説明】
【００３９】
【図１】従来の蛍光検出システムの概略図である。
【図２】別の従来の蛍光検出システムの概略図である。
【図３】本発明に係る蛍光検出システムの概略図である。
【図４】図３の切断線Ａ−Ａ’に基づく断面図である。
【図５】図３の光源の詳細な図である。
【図６】本発明に係る蛍光検出方法のフロー図である。
【図７】本発明の第二の好ましい実施形態に係る蛍光検出方法のフローチャートである。
【発明を実施するための形態】
【００４０】
実施形態の以下の説明は、本発明が実施され得る特定の実施形態を参照した例示によって与えられる。用語（例えば、「上」、「下」、「前」、「後ろ」、「左」、「右」、「内側」、「外側」、「側面」）。図面の方向。したがって、方向を表す用語の使用は、本発明を説明し、理解させるために使用されており、本発明を限定することを意図されていない。
【００４１】
図３および４を参照されたい。図３は、本発明に係る蛍光検出システム１００の概略図であり、図４は、図３の切断線Ａ−Ａ’に基づく断面図である。
蛍光標識されている複数の検体１１０を検出するための多重チャンネル蛍光検出システム１００は、光源１２０、光フィルタ装置１３０、二並列導光管１４０、検出器１５０およびコントローラ１７０を備えている。なお、図３および４において、コントローラ１７０は、光源１２０、光フィルタ装置１３０、二並列導光管１４０および検出器１５０と破線において繋げられており、多重チャンネル蛍光検出システム１００が、光源１２０、光フィルタ装置１３０、二並列導光管１４０および検出器１５０のうち１つ以上を、異なる要求に応じて手動で動作させ得ることを示している。好ましい実施形態において、唯一の蛍光標識されている検体１１０が一典型として示されているが；実際の自動運転において、多重チャンネル蛍光検出システム１００は、蛍光標識されている複数の検体１１０を検出するために使用され得る。
【００４２】
光源１２０は、励起光１６１をそれぞれが供給するための複数のサブ光源を備えている。光フィルタ装置１３０は、少なくとも１つの光フィルタセット１３１および制御装置１３２を備えている。少なくとも１つの光フィルタセット１３１のそれぞれは、励起光フィルタ１３１１および発光光フィルタ１３１２を備えている。制御装置１３２は、少なくとも１つの光フィルタセット１３１を回転させることを目的として励起光１６１および発光光１６２と協働するために、使用される。なお、制御装置１３２はまた、多重チャンネル蛍光検出システム１００が、少なくとも１つの光フィルタセット１３１を、異なる要求に応じて手動で回転させ得ることを示すために、破線によって表されている。
【００４３】
励起光フィルタ１３１１は、励起光１６１を受け取るために使用される。二並列導光管１４０は、発光光導光管１４２、励起光導光管１４１および走査ヘッド１４３を備えている。励起光導光管１４１は、励起光フィルタ１３１１を通過する励起光１６１を受け取るために使用される。発光光導光管１４２は、蛍光標識されている複数の検体１１０にあたっている励起光１６１によって、励起光１６１に応じて発せられる発光光１６２を受け取るために使用される。検出器１５０は、発光光導光管１４２および発光光フィルタ１３１２を通過する上記発光光１６２を、発光光１６２の種類を確認することを目的として受け取るために使用される。好ましくは、発光光導光管１４１および励起光導光管１４２は、同軸に配置されている。しかし、これに限定されることなく異なる必要によって、異なる形状を有して設計することが可能である。
【００４４】
コントローラ１７０は、光源１２０、光フィルタ装置１３０、二並列導光管１４０および検出器１５０の間における相対的な動きを制御するために使用される。
例えば、蛍光標識されている検体１１０が特定波長（例えば、４３０〜５００ナノメートルにおける半値全幅（ＦＷＨＭ））の波長を有している光に対して反応するか否かが決定されるとき、コントローラ１７０は、特定波長（４５０〜４７０ナノメートルにおけるＦＷＨＭ波長のような）を有している励起光１６１のみを発するように、光源１２０を制御し得る。コントローラ１７０は、少なくとも１つの光フィルタセット１３１のうち適切な１つを回転させるように、制御装置１３２を制御し得、適切な光フィルタセット１３１の励起光フィルタ１３１１は、励起光フィルタ１３１１（ここで、励起光１６１の波長は、不要な発光光の生成を避けるために変更される）を通過させることを、特定波長（４５０〜４６０のＦＷＨＭ波長のような）を有している光にのみ許す。光フィルタセット１３１のうち発光光フィルタ１３１２は、発光光フィルタ１３１２（ここで、発光光フィルタ１３１２を通過することを許される波長は、必要に応じて変更され得る）を通過させることを、特定波長（４９０〜５２０ナノメートルにおけるＦＷＨＭ波長のような）を有している光にのみ許す。コントローラ１７０は、蛍光標識されている複数の検体のそれぞれを走査するように二並列導光管１４０を制御し得る。詳細には、励起光フィルタ１３１１および発光光フィルタ１３１２はそれぞれ、製造コストを削減し、精度を向上させるために、それらを通過させることを、唯一の波長を有している光に許す。
【００４５】
図５は、図３の光源１２０の詳細な図である。光源１２０は、６つのサブ光源１２１を備えている。６つのサブ光源１２１は、選択的に作動または停止され得る複数の単色発光ダイオード（ＬＥＤ）である。例えば、第一のサブ光源１２１のＦＷＨＭ波長は、４５０〜ら４７０ナノメートルであり；第二のサブ光源１２１のＦＷＨＭ波長は、５１２〜５３８ナノメートルであり；第三のサブ光源１２１のＦＷＨＭ波長は、５４７〜５７６ナノメートルであり；第四のサブ光源１２１のＦＷＨＭ波長は、５７９〜５９１ナノメートルであり；第五のサブ光源１２１のＦＷＨＭ波長は、６１５〜６２８ナノメートルであり；かつ第六のサブ光源１２１のＦＷＨＭ波長は、６５７〜６７２ナノメートルである。また、異なるＦＷＨＭ波長を有している他のサブ光源を、異なる要求に応じて追加することが、可能であり、サブ光源１２１によって発せられるＦＷＨＭ波長は、互いに重複していない。それは、重複していないＦＷＨＭ波長が、特定波長に対して反応し得る蛍光標識されている複数の検体をより正確に検出するために使用され得るからである。
【００４６】
というのは、サブ光源１２１は、選択的に作動または停止され得る；つまり、蛍光標識されている異なる複数の検体１１０のために第一から第二のサブ光源１２１または第三から第五のサブ光源１２１のみを、異なる要求に応じて、動作させることが可能である。
【００４７】
図６は、本発明に係る蛍光検出方法のフロー図である。当該フロー図に使用されている要素の数については、図３〜５を参照されたい。
まず工程Ｓ０１に進むと、励起光１６１が、光源１２０の複数のサブ光源１２１によってそれぞれ供給され；次に、工程Ｓ０２に進むと、励起光１６１が、光フィルタ装置１３０の少なくとも１つの光フィルタセット１３１のうち励起光フィルタ１３１１を通過した後に、二並列導光管１４０のうち励起光導光管１４１に入り；次に、工程Ｓ０３に進むと、発光光１６２が、二並列導光管１４０の走査ヘッド１４３から蛍光標識されている複数の検体１１０に、励起光１６１を照射することによって発せられ；次に、工程Ｓ０４に進むと、走査ヘッド１４３からの発光光１６２が、二並列導光管１４０のうち発光光導光管１４２に入り；次に、工程Ｓ０５に進むと、発光光導光管１４２からの発光光１６２が、光フィルタ装置１３０の少なくとも１つの光フィルタセット１３１のうち発光光フィルタ１３１２に入り；次に、工程Ｓ０６に進むと、発光光１６２が、発光光１６２の種類を確認するために使用される検出器１５０に入る。
【００４８】
図７は、本発明の第二の好ましい実施形態に係る蛍光検出方法のフロー図である。第二の好ましい実施形態の、第一の好ましい実施形態との違いは、第二の好ましい実施形態は、工程Ｓ０１の前に、工程Ｓ０７を進めることである。工程Ｓ０７において、コントローラ１７０は、光源１２０、光フィルタ装置１３０、二並列導光管１４０および検出器１５０間の相対的な動きを、蛍光標識されている複数の検体１１０の種類にしたがって制御する。
【００４９】
以上に説明されている通り、本発明が好ましいその実施形態を用いて説明されているが、当業者は、本発明の範囲および精神から逸脱しなければ、種々の変更、追加および置換が可能であることを十分に理解する。したがって、本発明の範囲は、特許請求の範囲に対する言及によってのみ規定されていると意図されている。
【図１】
0006466999.tif 000002
【図２】
0006466999.tif 000003
【図３】
0006466999.tif 000004
【図４】
0006466999.tif 000005
【図５】
0006466999.tif 000006
【図６】
0006466999.tif 000007
【図７】
0006466999.tif 000008